(57)【要約】【課題】昇降動作させるに際して、自動的に車両用リフト装置の周囲に警告を発し安全性を向上させる。【解決手段】車両Ｃを配置したリフト装置１１０の昇降動作を指定する昇降スイッチ１２０と、昇降スイッチ１２０の操作に基づいてリフト装置を昇降動作および停止動作をさせるリフト駆動ユニット１３０と、起動操作のため昇降スイッチ１２０の操作があった４秒後、リフト制御手段を動作させてリフト装置１１０を上昇下降させるとともに、４秒経過後さらに２５秒以内に昇降スイッチ１２０が操作されたとき、直ちにリフト装置１１０を昇降動作および停止動作させる駆動制御部１４８と、前記４秒の間リフト装置１１０が昇降する旨の警告を発するとともに、リフト装置１１０の動作中にリフト装置１１０が動作している旨の警告を発する警告灯１５０およびスピーカ１６０を備える。【選択図】図１
2013001504.tif 000002
【特許請求の範囲】
【請求項１】
物品を配置したリフト装置の昇降動作を指定する昇降スイッチと、この昇降スイッチの操作に基づいて前記リフト装置を昇降動作および停止動作をさせるリフト制御手段と、を備える昇降制御装置において、
前記昇降スイッチの操作があったとき、あらかじめ定めた第１の時間の経過後、前記リフト制御手段を動作させて前記リフト装置に指定の昇降動作および停止動作をさせるとともに、前記第１の時間経過後あらかじめ定めたタイミングでスタートする第２の時間以内に前記昇降スイッチが操作されたとき、遅延を生じることなく前記リフト装置を昇降動作および停止動作させる駆動制御部と、
前記第１の時間中、リフト装置が昇降する旨の警告を発するとともに、前記リフト装置の動作中、リフト装置が動作している旨の警告を発する警告発生手段と、
を備えることを特徴とする昇降制御装置。
【請求項２】
前記昇降スイッチは装置本体に延長接続されたケーブルに接続され、
前記ケーブルは、このケーブルを引き出し可能に巻き取り収納するリール装置に配置されていることを特徴とする請求項１から請求項３までのいずれかに記載の昇降制御装置。
【請求項３】
前記第２の時間は、前記第１の時間経過後直ちにスタートすることを特徴とする請求項１または請求項２に記載の昇降制御装置。
【請求項４】
前記第２の時間は、前記第１の時間経過後昇降スイッチで昇降動作を停止したときスタートすることを特徴とする請求項１または請求項２に記載の昇降制御装置。
【請求項５】
前記警報装置は、警告光を発生する警告灯と、警告音を発生する警告音発生手段とを備えることを特徴とする請求項１から請求項４までのいずれかに記載の昇降制御装置。
【請求項６】
請求項１から請求項５までのいずれかに記載の昇降制御装置と、車両を配置する昇降台と、前記昇降制御装置で制御され前記車両台を昇降動させる昇降駆動機構と、を備えることを特徴とする車両用リフト装置。
【発明の詳細な説明】
【技術分野】
【０００１】
本発明は昇降制御装置および車両用リフト装置に係り、特にリフト装置の昇降に際して周囲に警告を与えることができる昇降制御装置、およびこの昇降制御装置を備えた車両用リフト装置に関する。
【背景技術】
【０００２】
車両用リフト装置として、油圧シリンダーと、リンク機構として組み合わされた複数のアームとを備え、車両等を設置した昇降台を昇降させるものがある（例えば特許文献１参照）。ここで、油圧シリンダーは、車両用リフト装置の制御装置で駆動制御される。そして、制御装置は、装置本体に取り付けられた昇降スイッチの操作に基づいて、油圧弁等を動作させて、油圧シリンダーを駆動させる。昇降台は、この油圧シリンダーの伸縮動に伴い駆動されるアームにより上昇または下降される。
【０００３】
昇降スイッチには、上昇ボタン、下降ボタンが配置されており、操作者がこのボタンを押下すると、制御装置が、昇降台が上昇または下降する。
【０００４】
また、車両用リフト装置では、起動操作と、微調整操作とが行われる。起動操作は、最初に昇降台を上昇させる操作を行う動作と、持ち上げられた車両を最初に降下させる動作である。
【０００５】
微調整操作は、起動動作で上昇させた昇降台をさらに上昇または下降させつつ車両を移動し車両の昇降台への設置位置を調整するものの他、車両の持ち上げ高さの微調整を行うものである。この調整操作では、複数回の上昇、下降操作が繰り返されることがある。また、一端上昇された車両を下降させるに際しては、起動操作で一気に車両を床面まで下ろす操作の他、車両の高さ調整のため、調整操作が行われることがある。
【先行技術文献】
【特許文献】
【０００６】
【特許文献１】特開２００４−３１５２０９号公報
【発明の概要】
【発明が解決しようとする課題】
【０００７】
ここで、従来の車両用リフト装置は、昇降スイッチの昇降ボタンの押下から直ちに動作するよう構成することが一般的である。そこで、操作者は、操作の前に車両用リフト装置に周囲にいる作業者などに車両用リフト装置の部材が接触しないように十分注意を払う必要がある。
【０００８】
しかし、昇降スイッチは、車両用リフト装置の装置本体に設けられたり、装置本体からケーブルで引き出されて配置されたりしており、昇降スイッチを操作する際、操作者が装置本体の周囲を見渡しにくいことがある。このため、操作者は車両用リフト装置の操作時に周囲に音声などで警告を発するようにすることが望ましい。
【０００９】
しかし、操作のたびに警告を発することは煩雑であるし、操作者が警告を発することを失念することがある。また、警告を発したとしても、警告が車両用リフト装置の昇降動作の直前であるときには、作業者などが車両用リフト装置の作動範囲から待避することができないこともある。
【００１０】
本発明は上述の点にかんがみてなされたものであり、昇降動作させるに際して、自動的に車両用リフト装置の周囲に警告を発して、安全性を向上させることができる昇降制御装置、および車両用リフト装置を提供することを目的とする。
【課題を解決するための手段】
【００１１】
請求項１の発明は、物品を配置したリフト装置の昇降動作を指定する昇降スイッチと、この昇降スイッチの操作に基づいて前記リフト装置を昇降動作および停止動作をさせるリフト制御手段と、を備える昇降制御装置において、前記昇降スイッチの操作があったとき、あらかじめ定めた第１の時間の経過後、前記リフト制御手段を動作させて前記リフト装置に指定の昇降動作および停止動作をさせるとともに、前記第１の時間経過後あらかじめ定めたタイミングでスタートする第２の時間以内に前記昇降スイッチが操作されたとき、遅延を生じることなく前記リフト装置を昇降動作および停止動作させる駆動制御部と、前記第１の時間中、リフト装置が昇降する旨の警告を発するとともに、前記リフト装置の動作中、リフト装置が動作している旨の警告を発する警告発生手段と、を備えることを特徴とする昇降制御装置である。
【００１２】
請求項２の発明は、請求項１に記載の昇降制御装置において、前記昇降スイッチは装置本体に延長接続されたケーブルに接続され、前記ケーブルは、このケーブルを引き出し可能に巻き取り収納するリール装置に配置されていることを特徴とする。
【００１３】
請求項３の発明は、請求項１または請求項２に記載の昇降制御装置において、前記第２の時間は、前記第１の時間経過後直ちにスタートすることを特徴とする。
【００１４】
請求項４の発明は、請求項１または請求項２に記載の昇降制御装置において、前記第２の時間は、前記第１の時間経過後昇降スイッチで昇降動作を停止したときスタートすることを特徴とする。
【００１５】
請求項５の発明は、請求項１から請求項４のいずれかに記載の昇降制御装置において、前記警報装置は、警告光を発生する警告灯と、警告音を発生する警告音発生手段とを備えることを特徴とする。
【００１６】
請求項６の発明は、請求項１から請求項５のいずれかに記載の昇降制御装置と、車両を配置する昇降台と、前記昇降制御装置で制御され前記車両台を昇降動させる昇降駆動機構と、を備えることを特徴とする車両用リフト装置である。
【発明の効果】
【００１７】
本発明に係る昇降制御装置によれば、リフト装置は、起動操作における昇降スイッチの操作から一定時間経過後に昇降動作され、その間自動的にリフト装置が昇降する旨の警告が発せられるほか、その後の微調整動作時にも警告が発せられるので、車両用リフト装置の昇降動作時における安全性を向上させることができる。
【図面の簡単な説明】
【００１８】
【図１】実施形態に係る車両用リフト装置の概略構成を示す模式図である。
【図２】同車両用リフト装置の昇降制御装置の概略構成を示すブロック図である。
【図３】同車両用リフト装置の起動操作を示すフローチャートである。
【図４】同車両用リフト装置の微調整操作を示すフローチャートである。
【発明を実施するための形態】
【００１９】
本発明を実施するための形態（以下では単に実施形態と記載する）に係る昇降制御装置、および車両用リフト装置について説明する。
【００２０】
図１は実施形態に係る車両用リフト装置の概略構成を示す模式図である。車両用リフト装置１００は、車両Ｃを配置して昇降動させるリフト装置１１０と、このリフト装置１１０の昇降動作の操作を行う昇降スイッチ１２０と、昇降スイッチ１２０の操作に基づいてリフト装置１１０の昇降駆動制御を行うリフト制御手段であるリフト駆動ユニット１３０とを備える。また車両用リフト装置１００は、実施形態に係る昇降制御装置であるコントロールユニット１４０と、警告光を発する警告発生手段をなす警告灯１５０と、警告音を発する警告発生手段をなすスピーカ１６０と、上方に取り付けられ、昇降スイッチ１２０とコントロールユニット１４０とを接続するケーブル１８０を引き出し可能に巻き取り収納するリール装置１７０とを備えている。
【００２１】
リフト装置１１０は、公知の構造を備える。すなわち、リフト装置１１０は、車両Ｃを配置する昇降台１１１と、リフト装置１１０が配置される床面に設置される基部１１２と、昇降台１１１と基部１１２との間に配置された昇降駆動機構であるリンク機構部１１３とからなる。リフト装置１１０では、リンク機構部１１３が図示していない油圧ポンプ、油圧バルブ、油圧シリンダー等で駆動され、昇降台１１１を上昇下降動作させる。なお、このリフト装置１１０の構造はこの例に限らず、油圧シリンダーで直接配置台を昇降させる等、他の構造のものであってもよい。
【００２２】
昇降スイッチ１２０は、２つの押しボタン、すなわち上昇ボタン１２１と、下降ボタン１２２とを備えている。昇降スイッチ１２０では、各ボタン１２１、１２２を押し下げることによりこれに接続されたスイッチがオン状態（導通状態）となり、ボタンを放すことにより自動的にオフ状態（切断状態）となる。なお、昇降スイッチの構成は、押しボタン式のスイッチに限らず、他の構成を備えるものであってもよい。
【００２３】
また、昇降スイッチ１２０は、リール装置１７０に収納されたケーブル１８０の先端に取り付けられており、天井に取り付けられたリール装置１７０から垂れ下げられている。
【００２４】
リフト駆動ユニット１３０は、昇降スイッチ１２０、コントロールユニット１４０の制御により、内部の電磁スイッチ等を動作させ、リフト装置１１０の油圧ポンプ、油圧バルブ等を駆動制御する。なお、リフト駆動ユニット１３０は、三相交流２００ボルトにより駆動され、入力用のコネクタ１３１を備える。
【００２５】
コントロールユニット１４０は、昇降スイッチ１２０の各ボタン１２１、１２２の操作に基づいて、昇降スイッチ１２０の起動操作を行う。すなわち、コントロールユニット１４０は、一連の昇降動作における最初の操作があったとき、第１の一定時間である５秒経過後、リフト駆動ユニット１３０でリフト装置１１０に指定の昇降動作および停止動作をさせるとともに、この時間中、警告灯１５０およびスピーカ１６０でリフト装置が昇降する旨の警告を発するように駆動する。なお、第１の時間は、必要に応じて例えば３〜５秒の間に適宜変更できる。
【００２６】
また、コントロールユニット１４０は、前記第１の一定時間の経過後スタートする第２の一定時間である２５秒以内に昇降スイッチ１２０が操作されたとき、この操作を微調整操作と判定し、操作から遅延を生じることなくリフト装置１１０を昇降動作および停止動作させる。また、コントロールユニット１４０は、リフト装置１１０の動作中、警告灯１５０およびスピーカ１６０でリフト装置１１０が動作している旨の警告を発する。なお、コントロールユニット１４０は、単相交流１００ボルトを電源とし、入力用のコネクタ１４１を備える。なお、第２の一定時間は、必要に応じて、例えば、１２、２４、４８秒等に適宜変更できる。
【００２７】
警告灯１５０は、例えばＬＥＤ発光素子を備えて構成されるものであり、コントロールユニット１４０の制御により点滅、連続点灯による警告光を発する。警告灯１５０は、リフト装置１１０自体や、リフト装置１１０の近傍であり、警告光がリフト装置１１０の動作範囲から確認できる箇所に、例えばリフト装置１１０の上方に配置される。警告灯１５０は、外部からの単相１００ボルトを電源とする。また、コントロールユニット１４０からの電力供給により駆動するものでもよい。また、ＬＥＤ発光素子に限らず、他の発光素子を使用することができる。また、警告灯の他、警告の文字を表示する文字表示手段を単独にまたは併せて使用することができる。
【００２８】
スピーカ１６０は、コントロールユニット１４０からの音声出力信号により、合成音声等の警告音声を発する。スピーカ１６０は、リフト装置１１０の近傍に配置される。なお、スピーカ１６０に代えてブザー、電鈴などを使用することができる。この場合、ブザー等からは、連続音、断続音などが発せられる。なお、ブザーや電鈴は音声による警告に重ねて発生することができ、この場合スピーカ１６０の他ブザー等を併せて設ける。
【００２９】
リール装置１７０は、リフト装置１１０の近傍の天井や支柱上であり、垂れ下げた昇降スイッチ１２０を操作する操作者が、リフト装置１１０の周囲を見通せる位置に取り付けられる。ここで、リール装置１７０は公知のものであり、ケーブル１８０を引き出し可能に巻き取り収納し、昇降スイッチ１２０を任意の高さ位置に停止させることができる。
【００３０】
次にコントロールユニット１４０について説明する。図２は実施形態に係る車両用リフト装置の昇降制御装置の概略構成を示すブロック図である。コントロールユニット１４０は、コネクタ１４１からの交流１００Ｖを直流２４Ｖに変換する電源回路１４２と、リフト駆動ユニット１３０の制御を行うリフト駆動部１４３と、第１のタイマー１４４と、第２のタイマー１４５と、警告灯１５０の発光を制御するライトコントローラ１４６と、スピーカ１６０に音声信号を出力する音声コントローラ１４７とを備える。
【００３１】
またコントロールユニット１４０は、昇降スイッチ１２０、第１のタイマー１４４および第２のタイマー１４５に接続されリフト駆動部１４３と、ライトコントローラ１４６と、音声コントローラ１４７の制御を行う駆動制御部１４８と、を備える。
【００３２】
電源回路１４２は、交流１００Ｖから変換した直流２４Ｖの電力をコントロールユニット１４０の各部に供給する。なお、電源回路１４２の出力電圧として、任意のものを採用することができ、例えば直流１２Ｖとすることができる。
【００３３】
第１のタイマー１４４は、昇降スイッチ１２０のボタン１２１、１２２が最初に押下されスイッチがオン状態となったときスタートする。これにより、第１のタイマー１４４は、昇降スイッチ１２０のボタン１２１、１２２の押下操作から時間の計測を開始する。
【００３４】
また第２のタイマー１４５は、第１のタイマーがあらかじめ定めた時間（この例では４秒）を計測したときスタートする。これにより、第２のタイマー１４５は、時間の計測を開始する。この第１のタイマー１４４および第２のタイマー１４５として、電子式のものが使用される。
【００３５】
ライトコントローラ１４６は、昇降スイッチ１２０のボタン１２１、１２２が操作されてからの第１の一定時間の間警告灯１５０を点滅させる。これによりリフト装置１１０の運転を予告する。
【００３６】
また、ライトコントローラ１４６は、リフト装置１１０が実際に昇降動作している期間中、警告灯１５０を連続点灯させる。これにより、リフト装置１１０が昇降動作中であることを警告する。
【００３７】
音声コントローラ１４７は、音声合成装置を備え、以下４つのチャンネルの音声を出力する。
【００３８】
１チャンネル「リフトが上昇します。注意してください。」（例えば、３．１秒）
２チャンネル「リフトが上昇中です。注意してください。」（例えば、３．０秒）
３チャンネル「リフトが下降します。注意してください。」（例えば、３．１秒）
４チャンネル「リフトが下降中です。注意してください。」（例えば、３．０秒）
【００３９】
これらの音声は、あらかじめ記憶手段に記憶しておくことができ、その警告の内容および音声の種類（男性、女性、読み上げはやさ）などを変更できるようにすることが好ましい。
【００４０】
なお、ブザーや電鈴を使用するときは、音声コントローラ１４７は、ブザー等に連続音や、所定の断続音を出力させるように構成する。また、ブザー等を同時に使用する場合には、音声コントローラ１４７は合成音声を出力する機能の他、ブザー等を駆動する機能を備える。
【００４１】
駆動制御部１４８は、公知のシーケンサー、マイクロコンピューターを備えて構成され、昇降スイッチ１２０、第１のタイマー１４４、第２のタイマー１４５からの信号に基づいて、リフト駆動部１４３、ライトコントローラ１４６、音声コントローラ１４７の動作を制御する。
【００４２】
コントロールユニット１４０は、起動動作において、昇降スイッチ１２０が操作されたとき、第１のタイマー１４４が４秒計時したとき、リフト駆動部１４３によりリフト装置１１０を動作させる。また、この４秒の間、警告灯１５０およびスピーカ１６０からリフト装置１１０が動作する旨の警告を発するようにライトコントローラ１４６および音声コントローラ１４７を駆動する。
【００４３】
また、コントロールユニット１４０は、微調整操作において、第２のタイマー１４５が２５秒を計時するまでの間に昇降スイッチ１２０が操作されたとき、リフト駆動部１４３によりリフト装置１１０を遅延なく直ちに動作させる。また、リフト装置１１０の動作中に警告灯１５０およびスピーカ１６０からからリフト装置１１０が動作中である旨の警告を発するようにライトコントローラ１４６および音声コントローラ１４７を駆動する。
【００４４】
なお、実施形態に係る昇降制御装置である昇降スイッチ１２０、コントロールユニット１４０、警告灯１５０、リール装置１７０は、既存のリフト装置１１０にもとから配置されている昇降スイッチと交換して取り付けることができる。
【００４５】
次に実施形態に係る車両用リフト装置１００の動作について説明する。図３は実施形態に係る車両用リフト装置の起動操作を示すフローチャート、図４は同車両用リフト装置の微調整操作を示すフローチャートである。
【００４６】
リフト装置１１０の昇降動の操作は、停止状態から最初にリフト装置１１０を動作させる起動操作と、その後、車両の位置調整やリフト装置１１０の高さ調整のために行われる上昇下降操作である微調整操作と、で行われる。起動操作としては、車両Ｃを最下降状態にあるリフト装置１１０の設置台１１１上に移動した後に行われる当初の操作、および車両Ｃをリフト装置１１０に設置して上昇させた状態から下降させる操作がある。
【００４７】
まず、起動操作のうちリフト装置１１０を上昇させる場合について説明する。昇降スイッチ１２０の上昇スイッチがオン状態とされると（ＳＡ１のＹｅｓ）、第１のタイマー１４４がスタートし、ライトコントローラ１４６で警告灯１５０が点滅し、音声コントローラ１４７でスピーカ１６０から「リフトが上昇します。注意してください。（１チャンネル）」と１回発声される（ＳＡ３）。これらの警告により、リフト装置１１０の近傍にいる作業者などに警告がなされ、リフト装置１１０の始動における安全が確保される。
【００４８】
そして、第１のタイマー１４４での計時が４秒を計時すると（ＳＡ４のＹｅｓ）、第２のタイマーをスタートさせる（ＳＡ５）とともに、上昇スイッチがオン状態であることを確認して（ＳＡ６）、リフト駆動部１４３の制御でリフト装置１１０が上昇を開始する。これと同時に、ライトコントローラ１４６の制御で警告灯１５０が連続点灯し、音声コントローラ１４７の制御でスピーカ１６０から「リフトが上昇中です。注意してください。（２チャンネル）」が繰り返し発声される（ＳＡ７）。これにより、リフト装置１１０の動作中であることが警告され、この警告により周囲の作業者が待避でき、安全が確保される。なお、４秒以内に上昇スイッチがオフ状態にされると、終了し起動操作開始に復帰する（ＳＡ６のＮｏ）。
【００４９】
そして、上昇中に上昇スイッチがオフ状態となると（ＳＡ８のＹｅｓ）、リフト駆動部１４３の制御でリフト装置１１０の上昇は停止する。これと同時に、ライトコントローラ１４６の制御で警告灯１５０が消灯し、音声コントローラ１４７の制御で警告音は停止される（ＳＡ９）。
【００５０】
起動操作におけるリフト装置１１０の下降に際しても同様の制御がなされる。すなわち、昇降スイッチ１２０の下降スイッチがオン状態とされると（ＳＡ２のＹｅｓ）、第１のタイマー１４４がスタートし、警告灯１５０が点滅し、スピーカ１６０から「リフトが下降します。注意してください。（３チャンネル）」と１回発声される（ＳＡ１０）。これらの警告により、リフト装置１１０の近傍にいる作業者などに警告がなされ、リフト装置１１０の始動における安全が確保される。
【００５１】
そして、第１のタイマー１４４のスタートから４秒経過すると（ＳＡ１１のＹｅｓ）、第２のタイマー１４５をスタートさせる（ＳＡ１２）とともに、下降スイッチがオン状態であることを確認して（ＳＡ１３）、リフト装置１１０が下降を開始する。これと同時に、警告灯１５０が連続点灯し、スピーカ１６０から「リフトが下降中です。注意してください。（４チャンネル）」が繰り返し発声される（ＳＡ１４）。これにより、リフト装置１１０の動作中であることが警告され、安全が確保される。
【００５２】
この動作中に下降スイッチがオフ状態となると（ＳＡ１５のＹｅｓ）、リフト装置１１０の下降は停止する。これと同時に、警告灯１５０が消灯し、警告音は停止される（ＳＡ１６）。
【００５３】
上昇および下降の動作が終了して、第２のタイマー１４５での計時が２５秒以内に微調整操作がされない場合（ＳＢ１のＹｅｓ）終了し、起動操作の開始に復帰する。ここで、この例では、第２のタイマーは、第１のタイマーが４秒計時したときにスタートするものとした。このため、最初に昇降スイッチを操作してから２９秒経過した後に自動的に起動操作開始状態に復帰する。従って、その後に昇降スイッチを操作すると再度起動操作の処理がなされる。
【００５４】
微調整操作において車両用リフト装置１００は、以下のように制御される。図４に示すように、第２のタイマー１４５の計時が２５秒となる前に、上昇スイッチがオン状態とされると（ＳＢ１、ＳＢ２のＹｅｓ）、リフト駆動部１４３の制御でリフト装置１１０は直ちに上昇動作し、同時にライトコントローラ１４６の制御で警告ライトが連続点灯する（ＳＢ６）。
【００５５】
そして、上昇スイッチがオフ状態とされると（ＳＢ５のＹｅｓ）、リフト駆動部１４３の制御でリフト装置１１０が直ちに停止するとともに、ライトコントローラ１４６の制御により警告灯が消灯する（ＳＢ５）。
【００５６】
微調整操作におけるリフト装置１１０の下降に際しても同様の制御がなされる。すなわち、第２のタイマー１４５の計時が２５秒となる前に、下降スイッチがオン状態とされると（ＳＢ１、ＳＢ３のＹｅｓ）、リフト駆動部１４３の制御でリフト装置１１０は直ちに上昇動作し、同時にライトコントローラ１４６の制御で警告ライトが連続点灯する（ＳＢ７）。
【００５７】
そして、上昇スイッチがオフ状態とされると（ＳＢ８のＹｅｓ）、リフト駆動部１４３の制御でリフト装置１１０が直ちに停止するとともに、ライトコントローラ１４６の制御により警告灯が消灯する（ＳＢ９）。
【００５８】
この上昇、下降動作は第２のタイマー１４５が２５秒を計時するまで、いずれの操作を何回でも行うことができる。
【００５９】
以上のように、実施形態に係る車両用リフト装置１００によれば、起動操作における昇降スイッチの操作の一定時間経過後に昇降動作され、その間自動的にリフト装置が昇降する旨の警告が発せられる。また車両用リフト装置１００では、その後の微調整動作時にも警告が発せられる。このため、車両用リフト装置１００の昇降動作時における安全性を向上させることができる。
【００６０】
なお、第２のタイマー１４５は、第１のタイマー１４４が所定の時刻となったときスタートしたが、これは昇降スイッチ１２０のボタン１２１、１２２が、最初に押下された状態から離され、スイッチがオン状態からオフ状態になったときスタートするようにしてもよい。このようにすると、起動操作処理における昇降スイッチの停止操作から２５秒経過すると自動的に起動操作処理に復帰する。従って、この２５秒間の操作の有無にかかわらず２５秒経過後に昇降スイッチの昇降操作がなされると起動操作がなされる。
【符号の説明】
【００６１】
１００  車両用リフト装置
１１０  リフト装置
１１１  設置台
１１２  基部
１１３  リンク機構部
１２０  昇降スイッチ
１２１  上昇ボタン
１２２  下降ボタン
１３０  リフト駆動ユニット（リフト制御手段）
１３１  入力コネクタ
１４０  コントロールユニット（駆動制御部）
１４１  コネクタ
１４２  電源回路
１４３  リフト駆動部
１４４  第１のタイマー
１４５  第２のタイマー
１４６  ライトコントローラ
１４７  音声コントローラ
１４８  駆動制御部
１５０  警告灯（警告発生手段）
１６０  スピーカ（警告発生手段）
１７０  リール装置
１８０  ケーブル
Ｃ  車両
【図１】
2013001504.tif 000003
【図２】
2013001504.tif 000004
【図３】
2013001504.tif 000005
【図４】
2013001504.tif 000006